(57)【要約】【課題】  本発明によれば、分岐口付き水栓の基体部の高さを抑制することによりキッチンのカウンター面より目立って突出するような状態にならず、分岐口付き水栓を含めたキッチン全体の意匠性を損なうことがなく、さらに分岐口の露出による意匠性の低下を防止することができる。【解決手段】  湯側配管に接続される湯流路及び水側配管に接続される水流路を有する基体部と、前記湯流路からの湯及び前記水流路からの水を混合する混合部と、この混合部によって混合された混合水を吐水する吐水管と、前記基体部と混合部の間において、前記水流路に連通した水分岐口と、前記湯流路に連通した湯分岐口とを備えた分岐口付き水栓であって、この湯分岐口と水分岐口を略同一高さに設けた。【選択図】  図２
2006104867.tif 000002
【特許請求の範囲】
【請求項１】
湯側配管に接続される湯流路及び水側配管に接続される水流路を有する基体部と、前記湯流路からの湯及び前記水流路からの水を混合する混合部と、この混合部によって混合された混合水を吐水する吐水管と、前記基体部と混合部の間において、前記水流路に連通した水分岐口と、前記湯流路に連通した湯分岐口とを備えた分岐口付き水栓であって、この湯分岐口と水分岐口を略同一高さに設けたことを特徴とする分岐口付き水栓。
【請求項２】
前記水分岐口と湯分岐口とが何れも背面に設けられていることを特徴とする請求項１記載の分岐口付き水栓。
【請求項３】
前記水分岐口又は湯分岐口には回転可能なエルボー部材が固定されていることを特徴とする請求項１又は請求項２記載の分岐口付き水栓。
【請求項４】
前記水分岐口又は湯分岐口には、水流路又は湯流路との連通を閉止可能な開閉バルブを備え、この開閉バルブを操作するための操作ハンドルを前記水分岐口又は湯分岐口の側面部に設けたことを特徴とする請求項１〜３何れか一項目記載の分岐口付き水栓。
【請求項５】
前記水分岐口又は湯分岐口とは、前記基体部と前記混合部との間に装着された筒状の分岐金具であることを特徴とする請求項１〜４何れか一項目記載の分岐口付き水栓。
【発明の詳細な説明】
【技術分野】
【０００１】
本発明は、水栓基体部の水流路、湯流路から分岐され、自動食器洗い乾燥機やアルカリイオン生成器等に湯及び水を供給するための分岐口付き水栓に関する発明である。
【背景技術】
【０００２】
従来より、キッチンのカウンター面に設置された自動食器洗い乾燥機及び浄水器やアルカリイオン生成器等の水処理装置に湯水を供給する分岐口付き水栓として、湯側配管に接続される湯流路及び水側配管に接続される水流路を有する基体部と、湯流路からの湯及び水流路からの水を混合した混合水を吐水する吐水管を有し、基体部の外周面に水流路と連通した水連絡流路を設け、基体部との間に通水路を形成し、基体部に対して回動自在に組み付けられ、水分岐口を備えた第一回動部材と、第一回動部材の下側で基体部の外周面に湯流路と連通した湯連絡流路を設け、基体部との間に通水路を形成し、基体部に対して回動自在に組み付けられ、湯分岐口を備えた第二回動部材を設け、第一回動部材の水分岐口と水処理装置、及び第二回動部材の湯分岐口と自動食器洗い乾燥機をそれぞれホースで接続したものがある。（特許文献１参照）
【０００３】
ところが、このような構成では、第一回動部材、第二回動部材を縦列に配置するために分岐口付き水栓の基体部に回動部材分の高さが必要となり、分岐口付き水栓の高さが高くなる。また、浄水器やアルカリイオン生成器等の水処理装置で処理された水を分岐口付き水栓に戻して吐水させるような接続とする場合は、基体部の高さがさらに必要となり、分岐口付き水栓がキッチンのカウンター面より目立って突出するような状態となり、分岐口付き水栓を含めたキッチン全体の意匠性を損なうといった問題が生じる。
また、第一回動部材、第二回動部材には水分岐口及び湯分岐口が設けられているため、分岐口付き水栓の横側に二つの分岐口が露出し、その先端に開閉バルブが接続される状態となり、水栓としての意匠性が損なわれるといった問題があった。
【特許文献１】特開２００２−４３６３号公報（第９頁、第４図）
【発明の開示】
【発明が解決しようとする課題】
【０００４】
分岐口付き水栓の基体部の高さや分岐口の露出を抑制することにより、分岐口付き水栓自体や分岐口付き水栓を含むキッチン全体の意匠性を損なうことのない分岐口付き水栓を提供することにある。
【課題を解決するための手段】
【０００５】
上記目的を達成するために請求項１記載の発明によれば、湯側配管に接続される湯流路及び水側配管に接続される水流路を有する基体部と、前記湯流路からの湯及び前記水流路からの水を混合する混合部と、この混合部によって混合された混合水を吐水する吐水管と、前記基体部と混合部の間において、前記水流路に連通した水分岐口と、前記湯流路に連通した湯分岐口とを備えた分岐口付き水栓であって、この湯分岐口と水分岐口を略同一高さに設けたことにより、水栓の高さを抑制できる。すなわち、水栓における分岐口部分の占める高さが必要以上に高くならないので分岐口付き水栓自体およびこの分岐口付き水栓を含むキッチン全体の意匠性を損なうことがない。
【０００６】
また、請求項２記載の発明によれば、前記水分岐口と湯分岐口とが何れも背面に設けられていることより、使用者から見て分岐口付き水栓から水分岐口と湯分岐口の露出を制御することができ、分岐口付き水栓の意匠性を損なうことがない。
【０００７】
また、請求項３記載の発明によれば、前記水分岐口又は湯分岐口には回転可能なエルボー部材が固定されていることを特徴とすることにより、分岐口付き水栓に対して、自動食器洗い乾燥機やアルカリイオン生成器等が左右の何れか、あるいは、同じ方向に２つ並ぶように設置された状態であってもエルボー部材の向きを変えるだけで分岐口付き水栓と自動食器洗い乾燥機やアルカリイオン生成器等を容易に接続することができる。
【０００８】
また、請求項４記載の発明によれば、前記水分岐口又は湯分岐口には、水流路又は湯流路との連通を閉止可能な開閉バルブを備え、この開閉バルブを操作するための操作ハンドルを前記水分岐口又は湯分岐口の側面部に設けたことを特徴とすることにより、分岐口の先端に操作ハンドルを取付ける場合に比べると、操作ハンドルが分岐口付き水栓から大きく突出することなく分岐口付き水栓の意匠を損なうことがない。
【０００９】
また、請求項５記載の発明によれば、前記水分岐口又は湯分岐口とは、前記基体部と前記混合部との間に装着された筒状の分岐金具を特徴とすることにより、既設の水栓に容易に取付けることができるとともに、分岐本体が分岐口付き水栓と一体的な意匠となり、意匠性の優れた分岐口付き水栓とすることができる。
【発明の効果】
【００１０】
本発明によれば、分岐口付き水栓の基体部の高さを抑制することにより、キッチンのカウンター面より目立って突出するような状態にならず、分岐口付き水栓を含めたキッチン全体の意匠性を損なうことがなく、さらに分岐口の露出による意匠性の低下を防止することができる。
【発明を実施するための最良の形態】
【００１１】
本発明の実施例を図面に基づいて詳しく説明する。図１は本発明の分岐口付き水栓に水処理装置及び自動食器洗い乾燥機に接続した状態を示す斜視図である。図２は本発明の分岐口付き水栓を背面からみた斜視図である。
【００１２】
図１に示すように、キッチンのカウンター面１に設けたシンク２に臨む位置に分岐口付き水栓３が配置されている。そして、この分岐口付き水栓３から少し離れたカウンター面１上にアルカリイオン生成器４および自動食器洗い乾燥機５が設置されている。そして、分岐口付き水栓３には、図２に示すように、筒状の分岐金具である分岐本体部７の水分岐口１３ａに接続されたエルボー部材１１ａとアルカリイオン生成器４、湯分岐口１３ｃに接続されたエルボー部材１１ｃと自動食器洗い乾燥機５がそれぞれのホース１２にて接続されている。ここでのアルカリイオン生成器４は、処理された水を分岐口付き水栓３から吐水できるようにしているためにアルカリイオン生成器４のアルカリ吐水部（図示しない）と分岐本体部７の流入口１３ｂに接続されたエルボー部材１１ｂがホース１２で接続されている。尚、アルカリイオン生成器４および自動食器洗い乾燥機５は、図１に示しているような左右それぞれの配置に限定されずどちらか一方側にアルカリイオン生成器４および自動食器洗い乾燥機５が設置される場合もある。
【００１３】
図３は分岐口付き水栓３の内部構造の縦断面図である。同図に示しているように分岐口付き水栓３は、主として湯側配管３ｋに接続される湯流路１４及び水側配管（図示せず）に接続される水流路（図示せず）を有する基体部６、および、アルカリイオン生成器４および自動食器洗い乾燥機５に湯水を分岐し供給する分岐ボディ３ｇおよび前記湯流路１４からの湯及び前記水流路１５からの水を混合ならびに吐止水する機能を有する周知技術であるシングルカートリッジ３ｆを持つ混合部８、シングルカートリッジ３ｆに設けられた弁部材（図示しない）の動きを操作するレバーハンドル３ａから構成されている。
【００１４】
基体部６はカウンター１に固定する為の台座３ｊ、先端に吐水口３ｂを有するスパウト３ｃ、湯、水、湯水混合水の流路形成及び湯側配管３ｋ、水側配管（図示しない）の接続ベースとなる金属製の水栓ボディ３ｉにて構成されている。
【００１５】
分岐本体部７は、基体部６の外周と略同一形状で、両側面に円筒形状が隆起するような形状に形成された分岐ボディ３ｇに、分岐ボディ３ｇの内部に取付けられる開閉バルブ９と、開閉バルブ９の操作を行なう操作ハンドル３ｅ、３ｄと、エルボー部材１１ａ〜１１ｃが取付けられている。
図４に示すように、分岐ボディ３ｇの内部には湯流路１４、水流路１５、湯水混合水流路１６が形成されている。湯流路１４、水流路１５の途中には、分岐本体部７の側面から開閉バルブ９を収容するためのバルブ開口１７、１８が設けられている。そして、図４に示すようにバルブ開口１７、１８には分岐ボディ３ｇの背面に延びる湯分岐口１３ｃ、水分岐口１３ａが略同一の高さに設けられている。
図２に示すように湯分岐口１３ｃ及び水分岐口１３ａより高い位置で分岐ボディ３ｇの背面側にアルカリイオン生成器４で処理された水が分岐ボディ３ｇに流入される流入口１３ｂを設けている。
また、分岐ボディ３ｇの背面にはビス２２を取り付けるための雌ネジ孔３ｐが水分岐口１３ａ、湯分岐口１３ｂ、流入口１３ｃのそれぞれに貫通するように設けられている。
さらに、図３に示すように分岐ボディ３ｇの上部は混合部８のカートリッジ押え３ｍと接続するための雄ねじ部３ｎが形成され、下部には水栓ボディ３ｉと接続するための袋ナット３ｈが取付けられている。
【００１６】
操作ハンドル３ｅ、３ｄは、湯流路１４と湯分岐口１３ｃ及び水流路１５と水分岐口１３ａそれぞれの流路を開閉操作するものであり、その先端にはネジ２４を用いて開閉バルブ９の軸１０に取付けられている。
開閉バルブ９は一端が開口された円筒状のもので、その外周面に外開口穴１９を２箇所備えた周知のバルブである。
そして、開閉バルブ９は分岐ボディ３ｇに挿入され、バルブ押え２０にて螺着固定されている。
操作ハンドル３ｅ、３ｄの回動操作により外開口穴１９が回転方向に移動し、開口部２５と一部が合致すると流路が開閉するようになっている。これによって、従来技術のように分岐口の先端に開閉バルブを設ける場合と比べて操作ハンドル３ｅ、３ｄが分岐口付き水栓３と一体感があり、すっきりとした外観になるといった効果が得られる。
【００１７】
エルボー部材１１について図４にて詳細に説明する。各エルボー部材１１ａ〜１１ｃは、分岐ボディ３ｇに設けた水分岐口１３ａ、流入口１３ｂ、湯分岐口１３ｃとホース１２とを接続するための継手である。
このエルボー部材１１は各分岐口に挿入される挿入部１１ｍと、ホース１２を接続する接続部１１ｎから成り、挿入部１１ｍと接続部１１ｎはほぼ９０°の角度をなして形成されている。
挿入部１１ｍにはシール部材であるＯリング２１が取り付けられるとともに、抜け止め用のビス２２が嵌入される溝２３が挿入部１１ｍの全周に設けられている。
そして、エルボー部材１１の挿入部１１ｍを水分岐口１３ａに所定の位置まで挿入した後、ビス２２を雌ネジ孔３ｐに取り付ける。そうすることで、ビス２２の先端部がエルボー部材１１の溝２３に嵌入され、エルボー部材１１は分岐ボディ３ｇから脱落することがない。また、エルボー部材１１は水分岐口１３ａに対して回動することができ、アルカリイオン生成器４や自動食器洗い乾燥機５の設置方向に対して回動自在にすることができる。尚、エルボー部材１１は、湯分岐口１３ｃ、流入口１３ｂに対しても前述と同様の方法で取り付けられ、同様の動きができるものである。
また、エルボー部材１１の接続部１１ｎにはホース１２が接続され、周知のホースバンド（図示しない）等でホース１２の外れを防いでいる。
【００１８】
この前提で、アルカリイオン生成器４や自動食器洗い乾燥機５が分岐口付き水栓３に対し、左右それぞれに設置される４パターンの分岐本体部７の背面図を図６〜９に示す。なお、ここでいう左右とはカウンター１の正面に立った使用者から見た方向を指すものであり、以下の図６〜９は水栓３の背面から見た図面であるため、以下の説明において右とは図６〜９では紙面の左アルカリイオン生成機や自動食器洗い乾燥機５が設置されている状態であり、左とは紙面の右に設置されている状態である。
図６は、アルカリイオン生成器が右、自動食器洗い乾燥機が左に設置される場合それぞれのエルボー部材の方向を示す背面図である。図７は、アルカリイオン生成器が左、自動食器洗い乾燥機が右に設置する場合のエルボー部材の方向を示す背面図である。図８はアルカリイオン生成器および自動食器洗い乾燥機の両方ともに右に設置する場合のエルボー部材の方向を示す背面図である。図９は、アルカリイオン生成器および自動食器洗い乾燥機が左に設置する場合のエルボー部材の方向を示す背面図である。前記のいずれの場合においても、エルボー部材１１を回転させることで、アルカリイオン生成器４や自動食器洗い乾燥機５の設置場所に左右されることなくホース１２の接続を容易に行なうことができる。また、ホース１２の取り回し、例えばエルボー部材１１ａ〜１１ｃの斜め上方や下方からホース１２を接続する場合でもエルボー継手１１〜１１ｃの方向を合わせることによってホース１２を容易に取り付けることができるので、従来技術の方法に比べると施工性は向上する。
【００１９】
次に、分岐口付き水栓３の使用方法及び湯、水の流れについて説明する。まず、手で皿洗いやシンク２を洗うときのように水道原水を使用する場合、レバーハンドル３ａを上下に動かし、吐止水及び流量調節を行う。また、レバーハンドル３ａを左右に動かして湯水の温度調節を行う。
レバーハンドル３ａを上方向に上げると、湯側配管３ｋ及び水側配管（図示せず）を経て元管から供給された湯もしくは水が、シングルカートリッジ３ｆに至り、湯水混合水流路１６を通過し吐水口３ｂから吐出される。
【００２０】
アルカリイオン生成器４を使用する場合は、操作ハンドル３ｄを回動操作すると、開閉バルブ９の外周に設けた外開口穴１９が開口部２５まで移動し、水流路１８と水分岐口１３ａ連通状態となって水の流路が形成され、アルカリイオン生成器４へ水が供給される。  そして、アルカリイオン生成器４にて生成処理された水はエルボー部材１１から流入口１３ｂ、湯水混合水流路１６を経由し吐水口３ｂから吐出される。アルカリイオン生成器４の使用をやめる場合は、操作ハンドル３ｄを逆方向に回動操作することで開閉バルブ９の外開口穴１９が回転し止水される。
【００２１】
自動食器洗い乾燥機５を使用する時は、アルカリイオン生成器４を使う時と同様にハンドル３ｅを回動操作すると前述と同様な湯の流れとなる。但し、自動食器洗い乾燥機５では、分岐口付き水栓３から供給された湯は使用後にシンク２へ排水されるため、分岐口付き水栓３へは自動食器洗い乾燥機５からの戻りは無い。
【００２２】
尚、本実施例では、水分岐口１３ａ、湯分岐口１３ｃ及び流入口１３ｂを使用する例について説明したが、水分岐口１３ａのみ、湯分岐口１３ｃのみを使用するような場合あるいは、流入口１３ｂを使用しない場合には、使用しない分岐口に塞ぎ蓋（図示しない）を取り付けて分岐口付き水栓３を使用することができる。
また、上記した実施例では、基体部６と分岐本体部７とは別体に形成しておいて、この基体部６の分岐ボディ３ｇと水栓ボディ３ｇとを袋ナット３ｈを用いて接続する例について説明してきたが、基体部６と分岐本体部７とを一体に製造しておくことも可能である。
【図面の簡単な説明】
【００２３】
【図１】本発明の分岐口付き水栓、アルカリイオン生成器、自動食器洗い乾燥機を流し台に備えた設備を示す要部の斜視図である。
【図２】本発明の分岐口付き水栓全体の背面斜視図である。
【図３】本発明の分岐口付き水栓側面の縦断面図である。
【図４】図３におけるＡ−Ａ断面を示した断面図である。
【図５】図３におけるＢ−Ｂ断面を示した断面図である。
【図６】アルカリイオン生成器が右、自動食器洗い乾燥機が左に設置する場合のエルボー部材の方向を示す背面図である。
【図７】アルカリイオン生成器が左、自動食器洗い乾燥機が右に設置する場合のエルボー部材の方向を示す背面図である。
【図８】アルカリイオン生成器および自動食器洗い乾燥機が右に設置する場合のエルボー部材の方向を示す背面図である。
【図９】アルカリイオン生成器および自動食器洗い乾燥機が左に設置する場合のエルボー部材の方向を示す背面図である。
【符号の説明】
【００２４】
１  カウンター
２  シンク
３  分岐口付き水栓
３ａ  レバーハンドル
３ｂ  吐水口
３ｃ  スパウト
３ｄ，３ｅ  操作ハンドル
３ｆ  シングルカートリッジ
３ｇ  分岐ボディ
３ｈ  袋ナット
３ｉ  水栓ボディ
３ｊ  台座
３ｋ  湯側配
３ｍ  カートリッジ押え
３ｎ  本体ネジ部
４  アルカリイオン生成器
５  自動食器洗い乾燥機
６  基体部
７  分岐本体部
８  混合部
９  開閉バルブ
１０  軸
１１  エルボー部材
１２  ホース
１３ａ  水分岐口
１３ｂ  流入側口
１３ｃ  湯分岐口
１４  湯流路
１５  水流路
１６  湯水混合水流路
１７，１８  バルブ開口
１９  外開口穴
２０  バルブ押え
２１  Ｏリング
２２  ビス
２３  溝
２４  ネジ
２５  開口部
【図１】
2006104867.tif 000003
【図２】
2006104867.tif 000004
【図３】
2006104867.tif 000005
【図４】
2006104867.tif 000006
【図５】
2006104867.tif 000007
【図６】
2006104867.tif 000008
【図７】
2006104867.tif 000009
【図８】
2006104867.tif 000010
【図９】
2006104867.tif 000011